(57)【要約】【課題】  ステイプルされた原稿が搬送されてスキャンジョブが中断した場合、スキャンジョブを最初から再開する処理と、スキャンジョブを中断するまでに読み取った画像情報を送信する処理とを選択する。【解決手段】    スキャンジョブの設定に従い、原稿台に積載された原稿を１枚ずつ分離して読取手段に搬送して排出する搬送手段と、搬送手段が搬送する原稿の形状状態を検知する検知手段と、搬送手段により搬送される原稿の画像を読取る読取手段と、読取手段が読み取る原稿の画像情報を記憶する記憶手段と、を備える画像読取装置の制御方法であって、原稿の搬送が開始されてから検知手段が検知した原稿の形状状態が正常でないと判断してスキャンジョブを中断した場合、中断したスキャンジョブを再開する第１のリカバリ処理と、中断したスキャンジョブを終了して、記憶手段に記憶された画像情報を処理する第２のリカバリ処理とのいずれかを受け付ける表示画面を表示手段に表示することを特徴とする。【選択図】  図７
2018093328.tif 000002
【特許請求の範囲】
【請求項１】
スキャンジョブを実行する画像読取装置であって、
前記スキャンジョブの設定に従い、原稿台に積載された原稿を１枚ずつ分離して読取手段に搬送して排出する搬送手段と、
前記搬送手段が搬送する原稿の形状状態を検知する検知手段と、
前記搬送手段により搬送される前記原稿の画像を読取る読取手段と、
前記読取手段が読み取る前記原稿の画像情報を記憶する記憶手段と、
前記原稿の搬送が開始されてから前記検知手段が検知した前記原稿の形状状態が正常でないと判断して前記スキャンジョブを中断した場合、中断した前記スキャンジョブを再開する第１のリカバリ処理と、中断した前記スキャンジョブを終了して、前記記憶手段に記憶された画像情報を処理する第２のリカバリ処理とのいずれかを受け付ける表示画面を表示手段に表示する制御手段と、
を備えることを特徴とする画像読取装置。
【請求項２】
前記第２のリカバリ処理は、前記スキャンジョブを中断するまでに読み取られて前記記憶手段に記憶された画像情報を所定の宛先に送信する処理であることを特徴とする請求項１に記載の画像読取装置。
【請求項３】
前記制御手段は、前記第１のリカバリ処理を実行するために、スキャンジョブが中断した要因とともに、前記原稿からステイプルを外すことを前記表示手段に表示することを特徴とする請求項１に記載の画像読取装置。
【請求項４】
前記所定の宛先は、センド機能で選択した宛先であることを特徴とする請求項２に記載の画像読取装置。
【請求項５】
前記制御手段は、ステイプルされた原稿を検知するモードが有効である場合、前記第１または第２のリカバリ処理を受け付ける表示画面を前記表示手段に表示することを特徴とする請求項１に記載の画像読取装置。
【請求項６】
前記原稿の搬送が開始されてから前記検知手段が検知した前記原稿の形状状態が正常でないと判断して前記スキャンジョブを中断した場合、検知した原稿の搬送は中断し、それよりも下流側に搬送されている原稿は排出するように前記搬送手段を制御する搬送制御手段を備えることを特徴とする請求項１に記載の画像読取装置。
【請求項７】
前記所定の宛先にファクシミリ送信先が含まれている場合、前記制御手段は、前記第１または第２のリカバリ処理を受け付ける表示画面を前記表示手段に表示しないことを特徴とする請求項２に記載の画像読取装置。
【請求項８】
スキャンジョブの設定に従い、原稿台に積載された原稿を１枚ずつ分離して読取手段に搬送して排出する搬送手段と、前記搬送手段が搬送する原稿の形状状態を検知する検知手段と、前記搬送手段により搬送される前記原稿の画像を読取る読取手段と、前記読取手段が読み取る前記原稿の画像情報を記憶する記憶手段と、を備える画像読取装置の制御方法であって、
前記原稿の搬送が開始されてから前記検知手段が検知した前記原稿の形状状態が正常でないと判断して前記スキャンジョブを中断した場合、中断した前記スキャンジョブを再開する第１のリカバリ処理と、中断した前記スキャンジョブを終了して、前記記憶手段に記憶された画像情報を処理する第２のリカバリ処理とのいずれかを受け付ける表示画面を表示手段に表示する制御工程を備えることを特徴とする画像読取装置の制御方法。
【発明の詳細な説明】
【技術分野】
【０００１】
本発明は、画像読取装置、画像読取装置の制御方法に関するものである。
【背景技術】
【０００２】
従来、複写機等に使用される画像読取装置には、原稿搬送装置（後述するＡＤＦ）により原稿を1枚ずつ搬送し、その搬送路上に固定されたＣＣＤセンサにより原稿の画像を読み取るものがある（特許文献1参照）。  
【０００３】
上記構成を有する画像読取装置では、原稿を搬送する際に、ステイプルやクリップを除去していない原稿束が原稿トレイ上に積載されて、読み取り指示が行われることがある。自動原稿搬送装置では、搬送部の分離機構によって原稿が1枚ずつ分離されて搬送されるように構成されるので、綴じられた原稿束が積載された状態で搬送動作が開始されると、最上面の原稿が分離、搬送される際に綴じ部分に負荷がかかる。
これにより、原稿がシワになったり、破れてしまったりすることがある。また、綴じられた原稿が分離されずに送り出されることで、搬送経路上で紙詰まりを起こすというトラブルが発生することもある。  
【０００４】
そこで、このような事態を避けるために、原稿がステイプルやクリップ等で綴じられていることを検知する装置が提案されている
例えば、原稿トレイ上に積載された原稿に対し、ステイプル、クリップ等により綴じられていることを検出すると、表示部にステイプル原稿であることを表示し、画像読取動作を停止する（特許文献2参照）。 
【先行技術文献】
【特許文献】
【０００５】
【特許文献１】特開2001−285595号公報
【特許文献２】特開平10−221897号公報
【発明の概要】
【発明が解決しようとする課題】
【０００６】
従来の技術では、綴じ原稿を検知した後に、一度ジョブを中止して、原稿トレイに原稿を置き、新しいジョブとして最初から読取を実行するか、綴じ原稿検知後のリカバリで原稿からステイプルを除去する必要があった。
一方、ステイプルを除去するためには、ある程度の時間を要する。
一方、複合機がスキャナ機能を備える場合において、画像読取機能以外の機能を利用する者が同時に複数存在した場合に、上記画像読取処理でステイプル原稿のリカバリ処理を行うと、次の利用者を長時間待たせることになってしまうという課題があった。
また、次の利用者を待たせないようにジョブを中止してしまった場合は、それまでに読み込んだデータを失ってしまい、結果として読み込みに要した時間が無駄になってしまう等の課題があった。
【０００７】
本発明は、上記の課題を解決するためになされたものである。本発明の目的は、ステイプルされた原稿が搬送されてスキャンジョブが中断した場合、スキャンジョブを最初から再開する処理と、スキャンジョブを中断するまでに読み取った画像情報を送信する処理とを選択できる仕組みを提供することである。
【課題を解決するための手段】
【０００８】
上記目的を達成する本発明の画像読取装置は以下に示す構成を備える。
スキャンジョブを実行する画像読取装置であって、前記スキャンジョブの設定に従い、原稿台に積載された原稿を１枚ずつ分離して読取手段に搬送して排出する搬送手段と、前記搬送手段が搬送する原稿の形状状態を検知する検知手段と、前記搬送手段により搬送される前記原稿の画像を読取る読取手段と、前記読取手段が読み取る前記原稿の画像情報を記憶する記憶手段と、前記原稿の搬送が開始されてから前記検知手段が検知した前記原稿の形状状態が正常でないと判断して前記スキャンジョブを中断した場合、中断した前記スキャンジョブを再開する第１のリカバリ処理と、中断した前記スキャンジョブを終了して、前記記憶手段に記憶された画像情報を処理する第２のリカバリ処理とのいずれかを受け付ける表示画面を表示手段に表示する制御手段と、を備えることを特徴とする。
【発明の効果】
【０００９】
本発明によれば、ステイプルされた原稿が搬送されてスキャンジョブが中断した場合、スキャンジョブを最初から再開する処理と、スキャンジョブを中断するまでに読み取った画像情報を送信する処理とを選択できる。
【図面の簡単な説明】
【００１０】
【図１】画像形成装置の外観例を示す図である。
【図２】ＡＤＦ、画像読取部の構成例を示す断面図である。
【図３】画像形成装置の制御構成を示すブロック図である。
【図４】操作部の構成を説明する平面図である。
【図５】ＬＣＤタッチパネルに表示するＵＩ画面を示す図である。
【図６】ＬＣＤタッチパネルに表示するＵＩ画面を示す図である。
【図７】画像読取装置の制御方法を説明するフローチャートである。
【図８】ＬＣＤタッチパネルに表示するＵＩ画面を示す図である。
【図９】ＬＣＤタッチパネルに表示するＵＩ画面を示す図である。
【発明を実施するための形態】
【００１１】
次に本発明を実施するための最良の形態について図面を参照して説明する。
＜システム構成の説明＞
〔第1実施形態〕
【００１２】
図１は、本実施形態を示す画像読取装置を備える画像形成装置の外観例を示す図である。本実施形態において、画像形成装置は、スキャナ機能、プリント機能、コピー機能、センド機能を備える複合機（ＭＦＰ(Multi Function Printer)）を例とする。
図１において、画像読取手段である画像読取部200は、照明ランプの発光によって原稿上の画像を露光走査して得られた反射光をリニアイメージセンサ（ＣＣＤセンサ）に入力することで画像の情報を電気信号に変換する。画像読取部200はさらに電気信号をＲ、Ｇ、Ｂ各色からなる輝度信号に変換し、当該輝度信号を画像データとして後述するコントローラ部400に出力する。
【００１３】
原稿は、原稿搬送装置（以下、ＡＤＦ）100の原稿トレイ30にセットされる。ユーザが後述する操作部405から読み取り開始を指示すると、コントローラ部400は、画像読取部200に対して原稿読み取り指示を送る。画像読取部200は、この指示を受けとるとＡＤＦ100の原稿トレイ30から原稿を1枚ずつフィードして原稿の読み取り動作を行う。また、原稿は後述する原稿台ガラス上に置くことで読み取ることもできる。画像形成部500は、コントローラ部400から受取った画像データを用紙上に形成する画像形成デバイスである。なお、ＡＤＦ100は、スキャンジョブの設定に従い、原稿台に積載された原稿を１枚ずつ分離して原稿読取部200に搬送して排出する。
【００１４】
本実施形態における画像形成方式は、感光体ドラムや感光体ベルトを用いた電子写真方式である。また、画像形成部500は、給紙ユニット504として異なる用紙サイズ又は異なる用紙向きに対応可能な複数のカセットを備える。また、排紙ユニット502やフィニッシャユニット505には印字後の用紙が排出される。
【００１５】
（ＡＤＦ100の構成例）   
図２は、本実施形態のＡＤＦ100、画像読取部200の構成例を示す断面図である。以下、ＡＤＦ100の動作について、図２を参照しながら説明する。
図２に示すＡＤＦ100は、1枚以上の原稿シートで構成される原稿Ｓを積載する原稿トレイ30と、原稿の搬送開始前に原稿Ｓが原稿トレイ30より突出して下流への進出を規制する分離パッド21と、給紙ローラ1とを有する。
さらに、ＡＤＦ100は、原稿トレイ30上に原稿Ｓが載置されていることを検知する原稿検知センサ23と、原稿Ｓの最上面との距離を計測する測距センサ22、原稿が分離ローラ2を通過したことを検知する分離センサ24とを有する。給紙ローラ1は、原稿トレイ30に積載された原稿Ｓの原稿面に落下し、回転する。
これにより、原稿Ｓの最上面の原稿が他の原稿から分離されて１枚ずつ給紙される。具体的には、給紙ローラ1によって搬送された原稿は、分離ローラ2と分離パッド21の作用によって1枚に分離される。この分離は周知のリタード分離技術によって実現されている。
このとき、後述するコントローラ部は搬送開始から一定時間（ｔ1）経過しても、分離センサ24で原稿を検知出来ない場合、給紙ローラ1等の駆動を停止する。ここで、停止するまでの一定時間（ｔ1）は、搬送速度に従って予想した搬送開始から分離センサ24までの到達時間と遅延を考慮した十分な時間を加えたものである。
【００１６】
分離ローラ2と分離パッド21によって分離された原稿は、搬送ローラ対3により、レジストローラ4へ搬送され、レジストローラ4に原稿を突き当てられる。これにより、原稿はループ状に形成され、原稿の搬送における斜行が解消される。レジストローラ4の下流側には、レジストローラ4を通過した原稿を流し読みガラス201方向へ搬送する給紙パスが配置されている。   
【００１７】
給紙パスに送られた原稿は、大ローラ7及び搬送ローラ5によりプラテン上に送られる。ここで、大ローラ7は、流し読みガラス201に接触する。大ローラ7により搬送された原稿は、搬送ローラ6を通過し、ローラ16と移動ガラスの間を移動して、排紙フラッパ及び排紙ローラ8を介して原稿排紙トレイ31へ排出される。
【００１８】
図２のＡＤＦ100は、反転両面することで原稿の裏面画像を読み取るタイプであり、排紙ローラ8に原稿を噛ませた状態で、排紙ローラ8を逆転させて排紙フラッパを切り替えることにより、反転パス19へ原稿を移動させる。移動した原稿を反転パス19からレジストローラ4へ突き当て、再度原稿がループ状に形成されることによって、原稿の搬送における斜行を解消する。その後、搬送ローラ5及び大ローラ7により、再び原稿を流し読みガラス201へ移動させることで、原稿の裏面を流し読みガラス201で読み取ることが可能である。
【００１９】
また、原稿トレイ30には、積載された原稿束の副走査方向にスライド可能なガイド規制板15が設けられているとともに、このガイド規制板に連動して原稿幅を検出する原稿幅検知センサ（図示せず）が設けられている。上記原稿幅検知センサとレジ前センサ11との組み合わせにより、原稿トレイ30上に積載された原稿束の原稿サイズが判別可能となる。また、搬送パス内に設けられた原稿長検知センサ（図示せず）により、搬送中の原稿の先端検知から後端検知までの搬送距離から原稿長を検出することも可能である。また、検知した原稿長と上記原稿幅検知センサとの組み合わせからも、原稿サイズが判別可能である。  
【００２０】
また、測距センサ22は、原稿トレイ30に積載された原稿Ｓの最上面との距離を計測するセンサである。例えば、原稿1枚毎に搬送開始前に計測した原稿Ｓの最上面との距離と搬送開始から一定時間（ｔ2）後に計測した原稿Ｓの最上面との距離の差を計測することで、ステイプルで綴じられている等の形状状態が異常な原稿を検知することが可能である。また、ｔ1＞ｔ2とすることで、ジャムが発生する前に、原稿の形状異常を検知することが可能である。
【００２１】
（画像読取部200の構成例）
図２において、画像読取部200は、原稿台ガラス202上の原稿については、スキャナユニット209が図１の矢印に示す副走査方向に走査することで、原稿に記録された画像情報を光学的に読み取る。また、ＡＤＦ100上の原稿については、原稿トレイ30上の原稿を一枚ずつ読取中心位置へ原稿を搬送する。さらに、スキャナユニット209をＡＤＦ100の大ローラ7の読取中心位置に来るように移動し、大ローラ7の読取中心位置で原稿を読み取る。ＡＤＦ100上の原稿、又は原稿台ガラス202上の原稿は、次の光学系で読み取られる。
この光学系は、流し読みガラス201、原稿台ガラス202、ランプ203とミラー204を有するスキャナユニット209、ミラー205及び206、レンズ207、ＣＣＤセンサユニット210を備える。読み取られた画像情報を光電変換して、図１には図示しないコントローラ部に画像データとして入力する。また、白板219は、シェーディングによる白レベルの基準データを作成するための白板である。本実施形態では、ＣＣＤセンサユニット210は、カラー画像読取用（ＲＧＢ）ＣＣＤ（3ラインセンサユニット）212、白黒画像読取用ＣＣＤ（1ラインセンサユニット）211で構成される。   
【００２２】
（ＡＤＦ100の制御ブロック）   
図３は、本実施形態を示す画像形成装置の制御構成を示すブロック図である。
図３において、ＡＤＦ100の制御ブロックは、中央演算処理部である制御手段（以下、ＣＰＵ）300、リードオンリーメモリ（以下、ＲＯＭ）301、ランダムアクセスメモリ（以下、ＲＡＭ）302、出力ポート、及び、入力ポートを備えている。ＲＯＭ301には、制御用プログラムや固定パラメータが格納されており、ＲＡＭ302には、入力データや作業用データが格納されている。出力ポートには、各種搬送用のローラを駆動するモータ303、ソレノイド306、クラッチ307が接続されており、入力ポートには、各種センサ304がそれぞれ接続されている。   
【００２３】
ＣＰＵ300は、バスラインを介して接続されたＲＯＭ301に格納された制御プログラムにしたがって、紙搬送を制御する。ＣＰＵ300は、画像読取部200の中央演算処理部（ＣＰＵ）321と画像通信線351を介してシリアル通信を行い、画像読取部200との間で制御データの授受を行うようになっている。また、原稿画像データの先端の基準となる画先信号も画像通信線351を通して画像読取部200に通知される。   
【００２４】
また、ＣＰＵ300は、画像読取部200のＣＰＵ321からの制御データに応じて、各種センサ304の値を画像読取部200に通知する。なお、各種センサ304の値の中には、測距センサ22で測定したデータも距離データも含まれる。
【００２５】
（画像読取部200の制御ブロック）   
画像読取部200の制御ブロックにおいて、321がＣＰＵであり、画像読取部200の制御をすべて行っている。ＣＰＵ321にはプログラムを格納するＲＯＭ322、ワーク領域を提供するＲＡＭ323が接続される。なお、ＲＡＭ323は不揮発性の記憶を行う領域も含むワーク領域を示している。   
【００２６】
326は光学系モータドライブ部であり、光学系駆動モータを駆動させるためのドライバ回路である。画像読取部200には、ランプ203、ＣＣＤセンサユニット210（表面画像用の白黒画像読取用ＣＣＤ211／表面画像用のカラー画像読取用ＣＣＤ212）が接続されている。ＣＰＵ321は、光学系モータドライバ部326を制御し、画像処理部325を介してＣＣＤセンサユニット210を制御することで画像読取処理を実施している。   
【００２７】
紙搬送を実現するために、ＣＰＵ321はＡＤＦ100の紙搬送制御用のＣＰＵ300に画像通信線351を介して紙搬送制御についてのコマンドを送って指示する。指示されたＣＰＵ300が、搬送パス上に設置されている各センサ304をモニタし、負荷である搬送用のモータ303、ソレノイド306、クラッチ307を駆動することで、紙搬送を実現している。このように、ＣＰＵ321はＡＤＦ100による紙搬送と、画像読取部200による画像読取制御を行っている。324は紙間補正を行う紙間補正処理部である。   
【００２８】
レンズ207でＣＣＤセンサユニット210（カラー画像読取用（ＲＧＢ）ＣＣＤ212、白黒画像読取用ＣＣＤ211のいずれか）上に結像された画像信号は、デジタル画像データに変換される。変換された画像データは、さらに画像処理部325でシェーディングをはじめとして、画像データ上のスジ画像等を検知して補正するための各種画像処理が実施されて、画像メモリ329に書き込まれる。
【００２９】
画像メモリ329に書き込まれたデータは順次、画像転送用クロック信号線を含むコントローラ・インタフェースの画像通信線353を通してコントローラ部400へ送信される。さらに、原稿画像データの先端の基準となる画先信号は、ＣＰＵ321でタイミングを調整して、コントローラ・インタフェースの制御通信線352を通してコントローラ部400へ通知される。ＡＤＦ100からの通信ラインで通知される画先信号についても、同様に画像読取部200のＣＰＵ321でタイミングを調整して、コントローラ・インタフェースの制御通信線352を通してコントローラ部400へ通知される。   
【００３０】
ＣＰＵ321が制御バスライン上に接続された画像処理部325を制御する。さらに、ＣＰＵ321は、画像処理部325を介して画像通信線354から制御信号をＣＣＤセンサユニット210に伝達することで、ＣＣＤセンサユニット210を制御する。
ＣＣＤセンサユニット210で原稿画像を走査する過程で、カラー画像読取用ＣＣＤ212あるいは白黒画像読取用ＣＣＤ211により読み取られる。そして、読み取られた1ラインごとのアナログの画像信号が、画像転送用クロック信号線を含む画像データ通信線214あるいは215からＣＣＤ制御部213に出力される。
【００３１】
ＣＣＤ制御部213でアナログ信号がデジタル画像データに変換され、画像転送用クロック信号線を含む画像通信線355から画像メモリ329を経由して、画像通信線353を通してコントローラ部400へ送信される。
【００３２】
ＣＰＵ321は、コントローラ部400の中央演算処理部（ＣＰＵ）401と画像通信線353を介してシリアル通信を行い、コントローラ部400との間で制御データの授受を行うようになっている。ＣＰＵ321は、コントローラ部400の中央演算処理部（ＣＰＵ）401からの制御データに応じて、搬送中の原稿に対する形状異常の検知を行う。形状異常の検知では、原稿1枚毎に搬送開始前に計測した原稿Ｓの最上面との距離と搬送開始から一定時間（ｔ2）後に計測した原稿Ｓの最上面との距離の差を計算し、一定以上の差（ｄ1）がある場合に、原稿が形状異常であると判断する。そして、ＣＰＵ321は、判断結果はコントローラ部400の中央演算処理部（ＣＰＵ）401に通知する。
【００３３】
（コントローラ部400の制御ブロック）   
画像処理用のコントローラ部400は、ＡＤＦ100、画像読取部200、画像形成部500を含む画像形成装置1000の全体を制御する装置である。コントローラ部400は、ＣＰＵ401、画像処理回路402、スキャナＩＦ403、画像メモリ404、操作部405、ワーク領域を提供するＲＡＭ406、プログラムを格納するＲＯＭ407、プリンタＩＦ408、ＨＤＤ409を有している。なお、ＲＡＭ406は不揮発性の記憶を行う領域も含むワーク領域を示している。また、プログラムをＨＤＤ409からＲＡＭ406にロードしてＣＰＵ401で実行する構成でもよい。画像通信線353を通じてコントローラ部400へ送信された画像データは、スキャナＩＦ403を通じて、画像メモリ404に保存される。
【００３４】
画像処理回路402は、画像メモリ404上にある画像を、画像変換し、再度、画像メモリ404に戻す。画像処理回路402が行う画像変換処理には、32画素×32画素単位の画像を指定された角度で回転する回転処理、画像の解像度を変換する解像度変換処理がある。さらに、画像処理回路402が行う画像変換処理に画像を変倍する変倍処理、多値入力された画像をマトリクス演算、およびＬＵＴによりＹＵＶ画像をＬａｂ画像に変換する色空間変換処理がある。この色空間変換は3×8のマトリクス演算および、1次元ＬＵＴをもち、公知の下地とばしや裏写り防止を行うことができる。
【００３５】
操作部405は液晶表示部（ＬＣＤ）と液晶表示部上に張り付けられたタッチパネル入力装置と、複数個のハードキーを有する。タッチパネルまたはハードキーにより入力された信号はＣＰＵ401に伝えられ、液晶表示部には、本画像形成装置の操作における機能表示や画像データ等を表示する。
【００３６】
コントローラ・インタフェースの制御通信線356を通して、画像形成部500から画先信号を受信する。画像データの先端の基準となる画先信号に基づいて画像メモリ404に書き込まれたデータは順次、プリンタＩＦ408を介して画像転送用クロック信号線を含むコントローラ・インタフェースの画像通信線357を通して画像形成部500へ送信される。
【００３７】
（画像形成部500の制御ブロック）   
画像形成部500は、記録紙を搬送し、その上に画像データを可視画像として印字して装置外に排紙する。画像形成部500は、画像形成部500を制御する制御部501と、複数種類の記録紙カセットを持つ給紙ユニット504と、画像データを記録紙に転写、定着させる機能を持つマーキングユニット503から構成されている。さらに印字された記録紙を機外へ出力する機能を持つ排紙ユニット502、パンチ処理、ソート処理を行うフィニッシャユニット505とで構成される。
【００３８】
制御部501は、マーキングユニット503で画像形成の準備が整った場合に、先端の基準となる画先信号をコントローラ・インタフェースの制御通信線356を通してコントローラ部400へ送信する。そして、マーキングユニット503は、コントローラ・インタフェースの画像通信線357を通して送られてきた画像データを記録紙に転写、定着させる。
【００３９】
図４は、図１に示した操作部405の構成を説明する平面図である。
図４において、ＬＣＤタッチパネル600は、主なモード設定、状況表示を行う。テンキー601は0〜9までの数値を入力するために使用される。ＩＤキー602は、装置が部門管理されている場合に部門番号と暗証モードを入力する際に使用される。
【００４０】
リセットキー603は設定されたモードをリセットするために使用される。ガイドキー604は各モードについての説明画面を表示するために使用される。割り込みキー606は割り込みコピーを行うために使用される。
スタートキー607はコピーやスキャン動作をスタートするために使用される。ストップキーで608は実行中のジョブを中止するために使用される。
ユーザモードキー605はユーザモード画面に入ために使用され、ユーザモード画面では、装置に関する各種の設定を行うことが可能である。
節電キー609は押下されることで節電状態に入り、再度押下することで節電状態から復帰する。カウンタ確認キー610は押下されることで、それまでに使用したコピー枚数の集計を表示するカウント画面がＬＣＤ上に表示する。
【００４１】
ＬＥＤ611はジョブの実行中、画像メモリへの画像蓄積中を表示する。エラーＬＥＤ612はジャム、ドアオープン等装置がエラー状態にあることを表示する。電源ＬＥＤ613は装置のメインスイッチがＯＮになっていることを表示する。
【００４２】
図５、図６は、図４に示したＬＣＤタッチパネル600に表示するＵＩ画面を示す図である。図５は、センド機能を実行させる際に表示するセンド画面の例を示す。
図５において、基本的な設定として、カラー選択651、解像度652、サイズ選択653を設定するためのボタンが図５のように配置される。
基本的な設定以外の設定はその他の機能658を押下することによって選択可能である。
ここでは図示しないがその他の機能658には、例えば白紙除去や重送検知など様々な機能が用意されている。それら機能の中でユーザが頻繁に使う機能については、コピー画面にショートカットボタンを作成可能となっている。
ここでは、両面読み取りを設定するための両面654、送信ファイルタイプを設定するための655を配置している。さらに、異なるサイズが混在した原稿を読み取るための原稿サイズ混載656を、原稿搬送装置100で搬送された原稿Ｓが形状異常の原稿かどうかを検知するための綴じ原稿検知657を配置している。
【００４３】
図６に示すＵＩ画面は、綴じ原稿検知657のショートカットボタンを押下されたときに、ＬＣＤタッチパネル600に表示する綴じ原稿検知設定画面を示す。
図６において、ボタン701はコピージョブにおいて原稿搬送装置100で搬送された原稿Ｓが形状異常の原稿かどうかを検知する綴じ原稿検知モードを有効するためのボタンである。ＯＫボタン703が押下されると、有効・無効を示すデータがＲＡＭ406に保存される。
ボタン702は反対にコピージョブにおいて原稿搬送装置100で搬送された原稿Ｓが形状異常の原稿かどうかを検知する綴じ原稿検知モードを無効にするためのボタンである。なお、綴じ原稿検知モードが有効な場合、形状異常の原稿が搬送中であると検知されたジョブはスキャンを中断する。
【００４４】
図７は、本実施形態を示す画像読取装置の制御方法を説明するフローチャートである。本処理に示す各ステップは、コントローラ部400のＣＰＵ401が、ＲＯＭ407から読み出してＲＡＭ406に展開された制御プログラムを実行することで実現される。尚、図５に示すセンド画面がＬＣＤタッチパネル600に表示されていて、且つ、綴じ原稿検知が検知するに設定されている状態で、図７に係る一連の処理が開始される。   
【００４５】
Ｓ701で、ＣＰＵ401は、原稿トレイ30上に原稿Ｓが載置されているか否かを原稿検知センサ23の出力に基づいて判定する。ＣＰＵ401は、原稿トレイ30上に原稿Ｓが載置されていると判定した場合（Ｓ701でＹＥＳ）、処理をＳ702に進める。一方、ＣＰＵ401は、Ｓ701でＮＯと判定した場合、処理をＳ722に進める。
【００４６】
Ｓ702で、ＣＰＵ401は、画像読取部200の制御部（ＣＰＵ321）に対して、原稿トレイ30上に載置された原稿Ｓを搬送させるように指示する。  
Ｓ702の処理を実行した後、ＣＰＵ401は、Ｓ703に処理を進める。
Ｓ703で、ＣＰＵ401は、画像読取部200の制御部（ＣＰＵ321）に対して、Ｓ702で搬送された原稿Ｓの形状に異常が無いか（形状状態が正常でないか）を検知するように指示する。画像読取部200の制御部（ＣＰＵ321）は、測距センサ22の出力に基づいて原稿の形状異常の検知を行い、検知結果をＣＰＵ401に通知する。（Ｓ703）
【００４７】
ＣＰＵ401は、Ｓ703の処理を実行した後、処理をＳ704に進める。ＣＰＵ401は、形状異常を受け取った場合（Ｓ704でＹＥＳ）、処理をＳ705に進める。一方、ＣＰＵ401は、Ｓ704でＮＯと判定した場合、処理をＳ712に進める。  
【００４８】
Ｓ705で、ＣＰＵ401は、ＲＡＭ406に記憶されている設定情報を参照し、綴じ原稿検知モードが有効であるか否かを判定する。ＣＰＵ401は、綴じ原稿検知モードは有効であると判定した場合（Ｓ705でＹＥＳ）、処理をＳ706に進める。一方、ＣＰＵ401は、Ｓ705で無効と判定した場合、処理をＳ712に進める。   
【００４９】
Ｓ706で、ＣＰＵ401は、画像読取部200の制御部（ＣＰＵ321）に対して、綴じを検知した原稿の搬送を中断し、かつ下流紙（綴じられていない原稿）を排出するよう指示する。ＣＰＵ401は、スキャンの中断に伴い、原稿Ｓの搬送や、原稿Ｓの画像の読み取りを停止させる。なお、綴じ原稿検知は、ジャムでは無いため下流紙を排出することで、不要なリカバリ処理を省略することが可能になる。
【００５０】
ＣＰＵ401は、Ｓ706の処理を実行した後、処理をＳ707に進める。Ｓ707で、ＣＰＵ401は、図８に示す通知画面800をＬＣＤタッチパネル600に表示する。
尚、図９に示す通知画面（表示画面）900は、原稿トレイ30上に原稿Ｓを最初のページから再度読み取るために再度載置するようユーザに促すための画面である
一方、図８に示す通知画面800は、原稿Ｓの形状異常を検知した場合に、原稿台の原稿を再度1枚目から読み込むことで、スキャンを継続する第1のリカバリ処理を受付可能な画面である。また、通知画面800は、原稿Ｓの形状異常を検知するまでに読み込んだ画像情報を所定の宛先に送信する第２のリカバリ処理を受付可能な画面でもある。これにより、ユーザは、スキャンジョブを中断したタイミングで、再度の読取から、それまでに読み取った画像情報を送信するかを選択することで、指摘された課題を解決するものである。なお、図８に示す通知画面800では、スキャンジョブが中断した要因が原稿が綴じられていること、並びに、その要因を解消するために、ユーザが綴じ込み処理された原稿のステイプルを外すことを表示している例である。
【００５１】
ＣＰＵ401は、Ｓ707の処理を実行した後、処理をＳ708に進める。Ｓ708で、ＣＰＵ401は、スキャンの中止指示を受け付けたか否かを判定する。具体的には、ＣＰＵ401は、例えば、通知画面800上の中止ボタン801がユーザによって押下されたことに従って、スキャンの中止指示を受け付けたと判定する。
ＣＰＵ401は、スキャンの中止指示を受け付けたと判定した場合（Ｓ708でＹＥＳ）、図７に係る一連の処理（Ｓ700）を終了する。一方、ＣＰＵ401は、Ｓ708でＮＯと判定した場合、処理をＳ709に進める。 
【００５２】
Ｓ709で、ＣＰＵ401は、スキャンの再開指示を受け付けたか否かを判定する。具体的には、ＣＰＵ401は、例えば、操作部405上のスタートキー607がユーザによって押下されたことに従って、スキャンの再開指示を受け付けたと判定する。
【００５３】
ＣＰＵ401は、スキャンの再開指示を受け付けたと判定した場合（Ｓ709でＹＥＳ）、処理をＳ701に戻し、スキャン処理を再開する。
一方、ＣＰＵ401は、Ｓ709でＮＯと判定した場合、処理をＳ710に進める。 
【００５４】
Ｓ710で、ＣＰＵ401は、通知画面800上の送信ボタン802が押下されているか否かを判断する。ＣＰＵ401は、送信ボタン802が押下されていると判断した場合（Ｓ710でＹＥＳ）、処理をＳ711に進める。一方、ＣＰＵ401は、Ｓ710でＮＯと判断した場合、処理をＳ708に戻す。
【００５５】
Ｓ711で、ＣＰＵ401は、ＨＤＤ409に記憶されている、ここまでスキャンが完了した画像データを、ファイルタイプ選択655で選択されているファイルタイプに変換を行い、宛先650で指定された宛先に送信する。ＣＰＵ401は、全ての画像の送信が完了すると、図７に係る一連の処理（Ｓ700）を終了する。
【００５６】
Ｓ712で、ＣＰＵ401は、ＡＤＦ100で紙ジャムが発生したか否かを判定する。具体的には、例えば、画像読取部200のＣＰＵ321は、搬送開始から一定時間（ｔ1）経過しても、分離センサ24で原稿を検知出来ない場合、ジャムが発生したと判断する。
そして、ＣＰＵ321は、コントローラ部400のＣＰＵ401にジャム発生を通知する。ジャム発生を通知されたＣＰＵ401は、紙ジャムが発生したと判断する。ＣＰＵ401はＡＤＦ100で紙ジャムが発生したと判断した場合（Ｓ712でＹＥＳ）、処理をＳ713に進める。一方、ＣＰＵ401は、Ｓ712でＮＯと判断した場合は、処理をＳ718に進める。
【００５７】
Ｓ713で、ＣＰＵ401は、画像読取部200の制御部（ＣＰＵ321）に対して、原稿の搬送を中断するよう指示する。画像読取部200の制御部（ＣＰＵ321）はスキャン（スキャンジョブ）の中断に伴い、原稿Ｓの搬送や、原稿Ｓの画像の読み取りを停止させる。
【００５８】
ＣＰＵ401は、Ｓ713の処理を実行した後、処理をＳ714に進める。Ｓ714で、ＣＰＵ401は、ＡＤＦ100で発生した紙ジャムが解除されたか否かを判断する。例えば、画像読取部200のＣＰＵ321は、ＡＤＦ100のＣＰＵ300から通知される各種センサ304の値を確認し、分離センサ24以降（下流）で原稿Ｓが検知されない場合に、ジャムが解除されたと判断する。
そして、ＣＰＵ321は、コントローラ部400のＣＰＵ401にジャム解除を通知する。ジャム解除を通知されたＣＰＵ401は、紙ジャムが解除されたと判断する。ＣＰＵ401はＡＤＦ100で紙ジャムが解除されたと判断した場合（Ｓ714でＹＥＳ）、処理をＳ715に進める。一方、ＣＰＵ401は、Ｓ714でＮＯと判断した場合は、処理Ｓ714を繰り返す。
【００５９】
Ｓ715で、ＣＰＵ401は、図９に示す通知画面900をＬＣＤタッチパネル600に表示する。なお、図９に示す通知画面900は、原稿トレイ30上に原稿Ｓを再度載置するようユーザに促すための画面である。
【００６０】
ＣＰＵ401は、Ｓ715の処理を実行した後、処理をＳ716に進める。Ｓ716で、ＣＰＵ401は、スキャンの中止指示を受け付けたか否かを判定する。ＣＰＵ401は、例えば、通知画面900上の中止ボタン901がユーザによって押下されたことに従って、スキャンの中止指示を受け付けたと判定する。
ＣＰＵ401は、スキャンの中止指示を受け付けたと判定した場合（Ｓ716でＹＥＳ）、図７に係る一連の処理（Ｓ700）を終了する。一方、ＣＰＵ401は、Ｓ716でＮＯと判定した場合、処理をＳ717に進める。   
【００６１】
Ｓ717で、ＣＰＵ401は、スキャンの再開指示を受け付けたか否かを判定する。ＣＰＵ401は、例えば、操作部405上のスタートキー607がユーザによって押下されたことに従って、スキャンの再開指示を受け付けたと判定する。
【００６２】
ＣＰＵ401は、スキャンの再開指示を受け付けたと判定した場合（Ｓ717でＹＥＳ）、処理をＳ701に戻す。一方、ＣＰＵ401は、Ｓ717でＮＯと判定した場合、処理をＳ716に戻す。Ｓ718で、ＣＰＵ401は、画像読取部200の制御部（ＣＰＵ321）に対して、搬送させた原稿Ｓの画像を読み取るように指示する。   
【００６３】
ＣＰＵ401は、Ｓ718の処理を実行した後、処理をＳ719に進める。ＣＰＵ401は、画像読取部200の制御部（ＣＰＵ321）に対して、読み取った画像データをコントローラ部400に転送するように指示する。そして、ＣＰＵ401は、コントローラ部400に転送された原稿Ｓの画像データをＨＤＤ409に格納する（Ｓ719）。   
【００６４】
ＣＰＵ401は、Ｓ719の処理を実行した後、処理をＳ720に進める。
ＣＰＵ401は、原稿トレイ30上に原稿Ｓが載置されているか否かを判定する。ＣＰＵ401は、原稿トレイ30上に原稿Ｓが載置されていると判定した場合（Ｓ720でＹＥＳ）、処理をＳ702に進める。一方、ＣＰＵ401は、Ｓ720でＮＯと判定した場合、処理をＳ721に進める。  
【００６５】
Ｓ721で、ＣＰＵ401は、ＨＤＤ409に記憶されている、ここまでスキャンが完了した画像データを、ファイルタイプ選択655で選択されているファイルタイプに変換を行い、宛先650で指定された宛先に送信する。
ＣＰＵ401は、Ｓ721の処理が完了すると図７に係る一連の処理（Ｓ700）を終了する。
【００６６】
Ｓ722で、ＣＰＵ401は、画像読取部200の制御部（ＣＰＵ321）に対して、原稿台の原稿Ｓの画像を読み取るように指示する。ＣＰＵ401は、Ｓ722の処理を実行した後、処理をＳ723に進める。ＣＰＵ401は、画像読取部200の制御部（ＣＰＵ321）に対して、読み取った画像データをコントローラ部400に転送するように指示する。そして、ＣＰＵ401は、コントローラ部400に転送された原稿Ｓの画像データをＨＤＤ409に格納する（Ｓ723）。
ＣＰＵ401は、Ｓ723の処理を実行した後処理を、Ｓ721に進める。Ｓ721の処理は前述の通りである。Ｓ721の処理が完了すると図７に係る一連の処理（Ｓ700）を終了する。以上が、センドジョブの実行指示を受け付けて、受け付けたコピージョブを実行するための一連の処理の詳細である。 
本実施形態によれば、綴じ原稿を検知した後に、それまで読み込んだ分の画像データの利用が可能になる。そのため、画像形成装置の利用者が、同時に複数存在した場合であっても、次の利用者を長時間待たせること無く、それまでに読みこんだデータも無駄にせずに有効利用することが可能になる。
【００６７】
なお、上記実施形態において、操作部405でセンド機能で選択した宛先にファクシミリ送信先が含まれている場合、ＣＰＵ401は、第１または第２のリカバリを選択する画面（図８）を操作部405に表示しないように制御する。これにより、中途半端な原稿を相手先に送信してしまうことを回避できる。
また、上記実施形態では、綴じ原稿検知モードが有効の場合に第１または第２のリカバリ処理を受け付ける画面を表示する場合について説明した。しかしながら、原稿サイズが異なる原稿サイズ混載モードが有効の場合、先に搬送される原稿サイズよりも小さい原稿が下側に載置された場合、特に、原稿を載置した状態では、よりステイプル原稿を載置していることに気づかない場合が多い。
そこで、原稿サイズ混載と合わせて上記制御を実行するように構成することで、よりユーザに適切なリカバリ処理を選択させる機会を提供できる。
＜その他の実施形態＞
本発明は、上述の実施形態の1以上の機能を実現するプログラムを、ネットワーク又は記憶媒体を介してシステムまたは装置に供給する。そして、そのシステム又は装置のコンピュータにおける1つ以上のプロセッサがプログラムを読み出し実行する処理でも実現可能である。また、1以上の機能を実現する回路（例えばＡＳＩＣ）によっても実現可能である。ここで、ＡＳＩＣは、各フローチャートに基づく処理を実行するよう設計された制御回路がＣＰＵ300、ＣＰＵ321、ＣＰＵ401に基づく処理を実行する。
【符号の説明】
【００６８】
22  測距センサ
100  ＡＤＦ
300、321、401  ＣＰＵ
【図１】
2018093328.tif 000003
【図２】
2018093328.tif 000004
【図３】
2018093328.tif 000005
【図４】
2018093328.tif 000006
【図５】
2018093328.tif 000007
【図６】
2018093328.tif 000008
【図７】
2018093328.tif 000009
【図８】
2018093328.tif 000010
【図９】
2018093328.tif 000011